(57)【要約】【課題】スペーサにチャージングされた電荷を外部に円滑に排出してスペーサのチャージングによる画面の輝度の不均一現象を解決し、画面の動的コントラスト比を高めて表示品質を向上させ、バックライトユニットの消費電力を減少させることができる。【解決手段】本発明に係る発光装置１０は、相互に対向配置されて、真空容器を構成する第１基板１２及び第２基板１４と；第１基板に配置された電子放出ユニット１８と；第２基板に配置された発光ユニット２０と；第１基盤１２及び第２基盤１４の間隔を維持するスペーサ３４と；を含み、発光ユニット２０は、電子放出ユニット１８から放出された電子によって発光し、スペーサ３４の表面抵抗値は、１０１２〜１０１４Ωｃｍである。【選択図】図２
2008124027.tif 000002
【特許請求の範囲】
【請求項１】
相互に対向配置されて、真空容器を構成する第１基板及び第２基板と；
前記第１基板に配置された電子放出ユニットと；
前記第２基板に配置された発光ユニットと；
前記第１基盤及び第２基盤の間隔を維持するスペーサと；
を含み、
前記発光ユニットは、前記電子放出ユニットから放出された電子によって発光し、
前記スペーサの表面抵抗値は、１０１２〜１０１４Ωｃｍであることを特徴とする、発光装置。
【請求項２】
前記スペーサは、
母体と；
前記母体の表面に形成されたコーティング層と；
を含み、
前記コーティング層の表面抵抗値は、１０１２〜１０１４Ωｃｍであることを特徴とする、請求項１に記載の発光装置。
【請求項３】
前記コーティング層は、前記母体の側面に形成されることを特徴とする、請求項２に記載の発光装置。
【請求項４】
前記コーティング層は、前記母体の上面及び下面のうちの少なくとも一面にさらに形成されることを特徴とする、請求項３に記載の発光装置。
【請求項５】
前記母体の上面及び下面のうちの少なくとも一面に形成された前記コーティング層は、２〜４ｍｍの高さであることを特徴とする、請求項４に記載の発光装置。
【請求項６】
前記コーティング層は、前記母体の全面に形成されることを特徴とする、請求項２に記載の発光装置。
【請求項７】
前記コーティング層は、酸化クロムを含むことを特徴とする、請求項２に記載の発光装置。
【請求項８】
前記スペーサは、柱型または壁体型からなることを特徴とする、請求項２に記載の発光装置。
【請求項９】
前記発光ユニットは、
蛍光層と；
前記蛍光層の一面に形成されるアノード電極と；
を含み、
前記アノード電極は、１０〜１５ｋＶの電圧の印加を受けることを特徴とする、請求項２に記載の発光装置。
【請求項１０】
前記蛍光層は、複数に分離形成されて、前記蛍光層の間に黒色層をさらに含むことを特徴とする、請求項９に記載の発光装置。
【請求項１１】
前記電子放出ユニットは、
相互に絶縁状態を維持して、交差する方向に沿って形成される第１電極及び第２電極と；
前記第１電極及び前記第２電極のうちのいずれか一つの電極に電気的に連結される電子放出部と；
を含むことを特徴とする、請求項２に記載の発光装置。
【請求項１２】
前記スペーサは、前記第１電極または第２電極と接触することを特徴とする、請求項１１に記載の発光装置。
【請求項１３】
前記電子放出部は、炭素系物質及びナノメートルサイズ物質のうちの少なくとも一つを含むことを特徴とする、請求項１１に記載の発光装置。
【請求項１４】
請求項１〜請求項１３のうちのいずれか一つの請求項に記載された発光装置と；
前記発光装置の前方に位置し、発光装置から放出された光の提供を受けて、画像を表示するパネル組立体と；
を含むことを特徴とする、表示装置。
【請求項１５】
前記パネル組立体は、第１画素を含み、
前記発光装置は、前記第１画素より少ない個数の第２画素を含み、前記第２画素別に相互に異なる強さの光を放出することを特徴とする、請求項１４に記載の表示装置。
【請求項１６】
前記第１画素は、行方向に沿ってＭ個、列方向に沿ってＮ個からなり、
前記Ｍ及びＮは、各々２４０以上の整数であることを特徴とする、請求項１５に記載の表示装置。
【請求項１７】
前記第２画素は、前記行方向に沿ってＭ´個、前記列方向に沿ってＮ´個からなり、
前記Ｍ´及びＮ´は、各々２〜９９のうちのいずれか一つの整数であることを特徴とする、請求項１５に記載の表示装置。
【発明の詳細な説明】
【技術分野】
【０００１】
本発明は、発光装置及び表示装置に関し、より詳細には、発光装置に含まれるスペーサに関する。
【背景技術】
【０００２】
近年、平板表示装置の一種である液晶表示装置が、陰極線管にかわって幅広く使用されている。液晶表示装置は、印加される電圧によってねじれ角が変化する液晶の誘電異方性を利用して、ピクセル別に光の透過量を変化させる特徴がある。
【０００３】
このような液晶表示装置は、基本的に、液晶パネル組立体、及び液晶パネル組立体に光を提供するバックライトユニットを含み、当該液晶パネル組立体は、バックライトユニットから放出される光の提供を受けて、この光を液晶層の作用で透過または遮断させることによって、所定の画像を表示する。
【０００４】
バックライトユニットは、光源の種類によって区分することができ、そのうちの一つとして、冷陰極蛍光ランプ（Ｃｏｌｄ Ｃａｔｈｏｄｅ Ｆｌｕｏｒｅｓｃｅｎｔ Ｌａｍｐ；以下、ＣＣＦＬとする）方式が公知となっている。ＣＣＦＬは、線光源であるので、ＣＣＦＬで発生した光を拡散シート、拡散板、及びプリズムシートのような光学部材を通じて液晶パネル組立体に向かって均一に分散させることができる。
【０００５】
しかし、ＣＣＦＬ方式では、ＣＣＦＬで発生した光が光学部材を通過するので、相当な量の光の損失が発生し、このような光の損失を考慮してＣＣＦＬから強い光を放出しなければならないので、消費電力が増えてしまう。また、ＣＣＦＬ方式は、構造上、大面積化が困難であるので、３０インチ以上の大型表示装置への適用が困難であった。
【０００６】
そして、従来のバックライトユニットとして、発光ダイオード（Ｌｉｇｈｔ Ｅｍｉｔｔｉｎｇ Ｄｉｏｄｅ；以下、ＬＥＤとする）方式が公知されている。ＬＥＤは、点光源であって、通常は複数形成され、反射シート、導光板、拡散シート、拡散板、及びプリズムシートなどの光学部材と組合わせることによって、バックライトユニットを構成する。このようなＬＥＤ方式は、応答速度が速く、色再現性が優れているが、価格が高く、厚さが厚いという欠点があった。
【０００７】
そのため、最近になって、ＣＣＦＬ方式及びＬＥＤ方式に代替されるバックライトユニットとして、電界による電子放出特性を利用して光を放出する電界放出型（ｆｉｅｌｄ ｅｍｉｓｓｉｏｎ ｔｙｐｅ）バックライトユニットが提案されている。電界放出型バックライトユニットは、面光源であって、消費電力が小さく、大型化に有利である。
【０００８】
しかし、従来の電界放出型バックライトユニットは、真空容器の内部及び外部の圧力差によって発生する圧縮力を支持するために、第１基板及び第２基板の間にスペーサを含んでいる。このスペーサは、電子の流れに露出されて多数の電子と衝突するようになり、持続的に電子と衝突したスペーサは、チャージングされる。チャージングされたスペーサは、電子ビームの経路をわい曲して、多くの問題をおこす。このような問題を解決するために、スペーサの表面に抵抗層をコーティングする技術が開示されている。
【発明の開示】
【発明が解決しようとする課題】
【０００９】
しかし、従来のスペーサの表面に形成された抵抗層は、電界放出型バックライトユニットに適用される場合、アノード電極に印加される高電圧に耐えることができずに、駆動電極及びアノード電極の間に短絡を誘発する問題があった。電界放出型バックライトユニットは、表示装置より高い輝度を必要とするので、表示装置より高い電圧がアノード電極に印加されるためである。
【００１０】
このように、従来のバックライトユニットは、光源の種類によって各々の問題がある。また、従来のバックライトユニットは、表示装置の駆動時に、一定の明るさで常に点灯されているので、表示装置に要求される画質の改善に適さないという問題があった。一例として、液晶パネル組立体が画像信号によって明るい部分及び暗い部分を含む任意の画面を表示する場合に、バックライトユニットが明るい部分を表示する領域及び暗い部分を表示する領域に互いに異なる強さの光を提供すれば、動的コントラスト比（ｄｙｎａｍｉｃｃｏｎｔｒａｓｔ）が優れている画面を表示することができる。
【００１１】
しかし、現在までのバックライトユニットでは、明るい部分を表示する領域及び暗い部分を表示する領域に互いに異なる強さの光を提供することができないので、従来の液晶表示装置は、画面の動的コントラスト比を向上することができないという問題があった。
【００１２】
そこで、本発明は、上記問題に鑑みてなされたものであり、本発明の目的とするところは、アノード電極の高電圧に耐えて、チャージングされた電荷を外部に円滑に排出することができるように、最適の表面抵抗値を有するスペーサを含む、発光装置を提供することにある。
【００１３】
また、本発明の他の目的は、発光面を複数の領域に区画し、区画された領域別に放出する光の強さを独立的に制御することができる発光装置、及びこの発光装置をバックライトユニットとして使用して、画面の動的コントラスト比を向上させることができる表示装置を提供することにある。
【課題を解決するための手段】
【００１４】
上記課題を解決するために、本発明のある観点によれば、相互に対向配置されて、真空容器を構成する第１基板及び第２基板と；第１基板に配置された電子放出ユニットと；第２基板に配置された発光ユニットと；第１基盤及び第２基盤の間隔を維持するスペーサと；を含み、発光ユニットは、電子放出ユニットから放出された電子によって発光し、スペーサの表面抵抗値は、１０１２〜１０１４Ωｃｍであることを特徴とする、発光装置が提供される。
【００１５】
また、上記スペーサは、母体と；母体の表面に形成されたコーティング層と；を含み、コーティング層の表面抵抗値は、１０１２〜１０１４Ωｃｍであってもよい。
【００１６】
上記コーティング層は、母体の側面に形成されてもよい。また、上記コーティング層は、母体の上面及び下面のうちの少なくとも一面にさらに形成されてもよい。
【００１７】
上記母体の上面及び下面のうちの少なくとも一面に形成されたコーティング層は、２〜４ｍｍの高さであってもよい。
【００１８】
上記コーティング層は、母体の全面に形成されてもよい。また、上記コーティング層は、酸化クロムを含んでもよい。
【００１９】
上記スペーサは、柱型または壁体型からなってもよい。
【００２０】
上記発光ユニットは、蛍光層と；蛍光層の一面に形成されるアノード電極と；を含み、アノード電極は、１０〜１５ｋＶの電圧の印加を受けるようにしてもよい。
【００２１】
蛍光層は、複数に分離形成されて、蛍光層の間に黒色層をさらに含んでもよい。
【００２２】
電子放出ユニットは、相互に絶縁状態を維持して、交差する方向に沿って形成される第１電極及び第２電極と；第１電極及び第２電極のうちのいずれか一つの電極に電気的に連結される電子放出部と；を含んでもよい。
【００２３】
スペーサは、第１電極または第２電極と接触してもよい。
【００２４】
電子放出部は、炭素系物質及びナノメートルサイズ物質のうちの少なくとも一つを含むようにしてもよい。
【００２５】
また、上記課題を解決するために、本発明の別の観点によれば、上記発光装置と；発光装置の前方に位置し、発光装置から放出された光の提供を受けて、画像を表示するパネル組立体と；を含む表示装置が提供される。
【００２６】
パネル組立体は、第１画素を含み、発光装置は、第１画素より少ない個数の第２画素を含み、第２画素別に相互に異なる強さの光を放出するようにしてもよい。
【００２７】
第１画素は、行方向に沿ってＭ個、列方向に沿ってＮ個からなり、Ｍ及びＮは、各々２４０以上の整数であってもよい。
【００２８】
第２画素は、行方向に沿ってＭ´個、列方向に沿ってＮ´個からなり、Ｍ´及びＮ´は、各々２〜９９のうちのいずれか一つの整数であってもよい。
【発明の効果】
【００２９】
以上説明したように本発明によれば、スペーサにチャージングされた電荷を外部に円滑に排出してスペーサのチャージングによる画面の輝度の不均一現象を解決し、画面の動的コントラスト比を高めて表示品質を向上させ、バックライトユニットの消費電力を減少させることができる。
【発明を実施するための最良の形態】
【００３０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３１】
まず、本発明の第１の実施形態にかかる発光装置について説明する。図１は、本発明の第１実施形態にかかる発光装置の部分分解斜視図であり、図２は、図１に示した発光装置の部分断面図である。
【００３２】
まず、図１及び図２に示したように、本実施形態の発光装置１０は、主に第１基盤と、第２基盤と、密封部材（図示せず）などを含む。第１基盤と第２基盤とは、所定の間隔をおいて平行に対向配置される。また、第１基板１２及び第２基板１４の周縁には密封部材が配置されて両基板を接合し、内部空間が約１３３×１０−６Ｐａ（約１０−６Ｔｏｒｒ）の真空度に排気されている。
【００３３】
第１基板１２及び第２基板１４は、実際の可視光の放出に寄与する有効領域、有効領域を囲む非有効領域に区画される。第１基板１２の有効領域には、電子の放出のための電子放出ユニット１８が形成され、第２基板１４の有効領域には、可視光の放出のための発光ユニット２０が形成される。
【００３４】
電子放出ユニット１８は、絶縁層２２を間において、互いに交差する方向にストライプパターンに形成される第１電極２４及び第２電極２６、及び第１電極２４及び第２電極２６のうちのいずれか一つの電極に電気的に連結される電子放出部２８を含む。
【００３５】
電子放出部２８が第１電極２４に形成される場合、第１電極２４が電子放出部２８に電流を供給するカソード電極になり、第２電極２６がカソード電極との電圧差によって電界を形成して、電子の放出を誘導するゲート電極になる。反対に、電子放出部２８が第２電極２６に形成される場合、第２電極２６がカソード電極になり、第１電極２４がゲート電極になる。
【００３６】
第１電極２４及び第２電極２６のうち、発光装置１０の行方向（図面のｘ軸方向）に位置する電極が走査電極として機能し、発光装置１０の列方向（図面のｙ軸方向）に位置する電極がデータ電極として機能する。図１および図２においては、電子放出部２８が第１電極２４に形成され、第１電極２４が発光装置１０の列方向に位置し、第２電極２６が発光装置１０の行方向に位置している。しかし、電子放出部２８の位置及び第１電極２４及び第２電極２６の配列方向は上記例に限定されず、多様に変形することができる。
【００３７】
第１電極２４及び第２電極２６の交差領域ごとに第２電極２６及び絶縁層２２に開口部２６１、２２１が形成されて、第１電極２４の表面の一部を露出させ、絶縁層２２の開口部２２１の内側の第１電極２４上に電子放出部２８が位置する。
【００３８】
電子放出部２８は、所定の厚さ及び直径を有する一種の電子放出層であって、真空中で電界が加えられると電子を放出する物質、例えば炭素系物質またはナノメートルサイズ物質からなる。電子放出部２８は、例えば、炭素ナノチューブ、黒鉛、黒鉛ナノファイバー、ダイヤモンド、ダイヤモンド状炭素、フラーレン（Ｃ６０）、シリコンナノワイヤー、またはこれらの組合わせからなる物質を含んでもよい。また、その製造方法としては、スクリーン印刷、直接成長、化学気相蒸着、またはスパッタリングなどを適用することができる。
【００３９】
電子放出部２８は、電子ビームの広がる特性を考慮して、第１電極２４及び第２電極２６の交差領域のうちの周縁を除く中央部分に集まって位置する。これにより、第１電極２４及び第２電極２６の交差領域の一つが発光装置１０の一つの画素領域に対応したり、二つ以上の交差領域が発光装置１０の一つの画素領域に対応したりすることができる。後者の場合、一つの画素領域に対応する二つ以上の第１電極２４または二つ以上の第２電極２６は、互いに電気的に連結されて、同一の駆動電圧の印加を受けることができる。
【００４０】
次に、発光ユニット２０は、主に、蛍光層３０と、アノード電極３２などを含む。蛍光層３０は、本実施形態においては白色蛍光層からなっているが、かかる例に限定されず、赤色、緑色、及び青色蛍光層が組合わされた構造からなっていてもよい。アノード電極３２は、蛍光層３０の一面に配置されている。
【００４１】
白色蛍光層は、第２基板１４全体に配置したり、画素領域ごとに一つの白色蛍光層が配置したりするように、所定のパターンに区画して配置することができる。赤色、緑色、及び青色蛍光層の場合は、一つの画素領域内で所定のパターンに区画して配置することができる。
【００４２】
アノード電極３２は、蛍光層３０の表面を覆うアルミニウム（Ａｌ）のような金属膜で形成することができる。アノード電極３２は、電子ビームを引っ張る加速電極として高電圧の印加を受けて蛍光層３０を高電位状態に維持して、蛍光層３０から放出された可視光のうちの第１基板１２に向かって放出された可視光を第２基板１４側に反射させて、画面の輝度を向上させる。
【００４３】
そして、アノード電極３２は、アノードパッド部を通じて１０ｋＶ以上、好ましくは１０〜１５ｋＶ程度の高電圧の印加を受けることができる。したがって、本実施形態の発光装置は、上記構造によって有効領域の中央部で約１０，０００ｃｄ／ｍ２以上の最大輝度を実現することが可能となる。
【００４４】
一方、アノード電極３２に高電圧が印加されることによって、第１基板１２及び第２基板１４は、従来の電界放出型バックライトユニットより大きい間隔、一例として、５〜２０ｍｍの間隔をおいて配置することができる。そして、第１基板１２及び第２基板１４の間には、真空容器に加えられる圧縮力を支持して、両基板の間隔を一定に維持するスペーサ３４が配置される。
【００４５】
スペーサ３４は、１０１２〜１０１４Ωｃｍの表面抵抗値を有する。このために、スペーサ３４は、ガラスまたはセラミックからなる母体３４１、及びこの母体３４１の側面に形成されるコーティング層３４２を含む。
【００４６】
コーティング層３４２は、上記表面抵抗値と同一な１０１２〜１０１４Ωｃｍの抵抗値を有する。コーティング層３４２の抵抗値が１０１２Ωｃｍより小さいと、アノード電極３２に１０ｋＶ以上の高電圧が印加される場合に、コーティング層３４２がアノード電圧に耐えることができずに、アノード電極３２及び第１電極２４または第２電極２６が短絡することがある。また、コーティング層３４２の抵抗値が１０１４Ωｃｍより大きいと、抵抗値が大きすぎて、スペーサ３４にチャージングされた電荷をコーティング層３４２を通じて外部に円滑に排出することができない。
【００４７】
つまり、コーティング層３４２は、１０１２〜１０１４Ωｃｍの抵抗値を有する時、スペーサ３４にチャージングされる電荷を最適に排出することができる。コーティング層３４２は、多様な材質からなり、例えば、酸化クロムを含むことができる。
【００４８】
そして、スペーサ３４は、図１に示されているように、第２電極２６上に配置される。これは、スペーサ３４が第２電極２６と接触して、スペーサ３４にチャージングされた電荷をコーティング層３４１及び第２電極２６を通じて外部に排出するためである。本実施形態で、このスペーサ３４は、第２電極２６と接触しているが、第１電極２４が上部に形成される場合、スペーサ３４は、第１電極２４と接触することもできる。
【００４９】
上記の構造の発光装置１０は、真空容器の外部から第１電極２４及び第２電極２６に所定の駆動電圧を印加し、アノード電極３２に数千ボルト以上の正の直流電圧を印加して駆動する。
【００５０】
そうすると、第１電極２４及び第２電極２６の電圧差が臨界値以上である画素で電子放出部２８の周囲に電界が形成されて、これから電子が放出され、放出された電子がアノード電圧に引っ張られて対応する蛍光層３０の部位に衝突することによって、これを発光させる。画素別の蛍光層３０の発光の強さは、当該画素の電子ビームの放出量に対応する。
【００５１】
上記の駆動過程で、スペーサ３４に電荷がチャージングされると、アノード電極３２及び第２電極２６の間にはコーティング層３４２を通じて微細電流の流れが形成され、この電流の流れによって、スペーサ３４にチャージングされた電荷は、第２電極２６を通じて外部に排出される。それによって、スペーサ３４は、チャージングが防止されて、電子ビームの経路をわい曲させない。
【００５２】
図３Ａ及び図３Ｂは、本発明の第２実施形態による発光装置の部分断面図である。図３Ａ及び図３Ｂに示したように、スペーサ３５は、母体３５１の両側面、母体３５１の上面及び下面のうちの少なくとも一面に形成されるコーティング層３５２を含むことができる。この時、母体３５１の上面及び下面のうちの少なくとも一面に形成されたコーティング層３５２の高さ（Ｈ）は、製造工程及びスペーサ３５の高さを考慮して、２〜４ｍｍであるのが好ましい。
【００５３】
また、図４は、本発明の第３実施形態にかかる発光装置の部分断面図である。図４に示したように、スペーサ３６は、母体３６１の全面に形成されるコーティング層３６２を含むことができる。このように、コーティング層は、多様な方法で母体に形成されることができる。
【００５４】
図５は本発明の第４実施形態にかかる発光装置の部分分解斜視図である。上記実施形態では、スペーサは、四角柱型（柱型）からなるが、本実施形態では、スペーサ３７は、壁体型からなる母体３７１と、母体３７１の表面に形成されるコーティング層３７２とを含む。スペーサの形状は本実施形態に限定されず、多様に変形することができる。
【００５５】
図６は本発明の一実施形態にかかる表示装置の分解斜視図である。図６に示したように、本実施形態の表示装置５０は、パネル組立体５２と、発光装置５０とを含む。パネル組み立体５２には、行方向及び列方向に沿って複数の画素が形成されている。また、発光装置１０は、パネル組立体５２の後方に位置して、パネル組立体５２に光を提供する。パネル組立体５２としては、公知の全ての液晶パネル組立体を適用することができ、上記実施形態の発光装置がバックライトユニットとして機能する。パネル組立体５２及び発光装置１０の間には、必要に応じて拡散板または拡散シートのような光学部材（図示せず）を配置するようにしてもよい。
【００５６】
上記行方向は、液晶表示装置５０の一方向、一例として、パネル組立体５２が実現する画面の水平方向（図面のｘ軸方向）と定義することができ、列方向は、表示装置５０の他の一方向、一例として、パネル組立体５２が実現する画面の垂直方向（図面のｙ軸方向）と定義することができる。
【００５７】
本実施形態で、発光装置１０は、行方向及び列方向に沿ってパネル組立体５２より少ない数の画素を形成して、発光装置１０の一つの画素が複数のパネル組立体５２の画素に対応するようにする。
【００５８】
行方向のパネル組立体５２の画素数及び列方向のパネル組立体５２の画素数を各々Ｍ及びＮとすると、Ｍ及びＮは、２４０以上の整数であると定義することができる。そして、行方向の発光装置１０の画素数及び列方向の発光装置１０の画素数を各々Ｍ´及びＮ´とすると、Ｍ´及びＮ´は、２〜９９のうちのいずれか一つの整数であると定義することができる。
【００５９】
発光装置１０は、Ｍ´×Ｎ´の解像度を有する一種の自発光表示パネルであり、画素別に発光の強さが独立的に制御されて、各画素に対応するパネル組立体５２の画素に適切な強さの光を提供する。
【００６０】
この時、Ｍ´及びＮ´の最小数値である２は、本実施形態の発光装置１０が表示パネルになる最小限の基本条件となる。そして、発光装置の解像度が９９×９９を超えると、発光装置１０の駆動が複雑になり、駆動回路の製造のための費用の上昇をまねくので、Ｍ´及びＮ´の最大数値である９９は、発光装置１０の機能性及び製造の容易性などを考慮した数値であるということができる。
【００６１】
図７は本発明の一実施形態による表示装置を駆動する駆動部のブロック図である。図７に示したように、表示装置の駆動部は、パネル組立体５２に連結された第１走査駆動部１０２及び第１データ駆動部１０４、第１データ駆動部１０４に連結された階調電圧生成部１０６、発光装置１０の表示部１１６に連結された第２走査駆動部１１４及び第２データ駆動部１１２、発光装置１０を制御する発光装置制御部１１０、パネル組立体５２を制御する信号制御部１０８を含む。
【００６２】
パネル組立体５２は、等価回路で見る時、複数の信号線（Ｓ１−Ｓｎ、Ｄ１−Ｄｍ）、この信号線に連結されて、ほぼ行列形態に配列された複数の第１画素（ＰＸ）を含む。信号線（Ｓ１−Ｓｎ、Ｄ１−Ｄｍ）は、第１走査信号を伝達する複数の第１走査ライン（Ｓ１−Ｓｎ）、及び第１データ信号を伝達する複数の第１データライン（Ｄ１−Ｄｍ）を含む。
【００６３】
各画素（ＰＸ）、例えばｉ番目（ｉ＝１、２、・・・、ｎ）の第１走査ライン（Ｓｉ）及びｊ番目（ｊ＝１、２、・・・、ｍ）の第１データライン（Ｄｊ）に連結された画素５４は、信号線（Ｓｉ、Ｄｊ）に連結されたスイッチング素子（Ｑ）、及びこれに連結された液晶キャパシタ（Ｃｌｃ）及びストレージキャパシタ（Ｃｓｔ）を含む。ストレージキャパシタ（Ｃｓｔ）は、必要に応じて省略することができる。
【００６４】
スイッチング素子（Ｑ）は、パネル組立体５２の下部基板（図示せず）に形成される薄膜トランジスタなどの三端子素子であって、その制御端子は第１ゲートライン（Ｓｉ）に連結され、入力端子は第１データライン（Ｄｊ）に連結され、出力端子は液晶キャパシタ（Ｃｌｃ）及びストレージキャパシタ（Ｃｓｔ）に連結されている。
【００６５】
階調電圧生成部１０６は、第１画素（ＰＸ）の透過率に関する二組の階調電圧の集合（または基準階調電圧の集合）を生成する。二組のうちの一組は共通電圧（Ｖｃｏｍ）に対して正の値を有し、他の一組は負の値を有する。
【００６６】
第１走査駆動部１０２は、パネル組立体５２の第１走査ライン（Ｓ１−Ｓｎ）に連結されて、スイッチオン電圧（Ｖｏｎ）及びスイッチオフ電圧（Ｖｏｆｆ）の組合わせからなる第１走査信号を第１走査ライン（Ｓ１−Ｓｎ）に印加する。
【００６７】
第１データ駆動部１０４は、パネル組立体５２の第１データライン（Ｄ１−Ｄｍ）に連結されて、階調電圧生成部１０６で生成される階調電圧を選択し、これをデータ信号として第１データライン（Ｄ１−Ｄｍ）に印加する。しかし、階調電圧生成部１０６が全ての階調に対する電圧を生成せずに決められた数の基準階調電圧だけを生成する場合に、第１データ駆動部１０４は、基準階調電圧を分圧して全ての階調に対する階調電圧を生成し、この中からデータ信号を選択する。
【００６８】
信号制御部１０８は、第１走査駆動部１０２及び第１データ駆動部１０４を制御し、発光装置制御部１１０は、発光装置１０の第２走査駆動部１１４及び第２データ駆動部１１２を制御する。信号制御部１０８は、外部のグラフィック制御器（図示せず）から入力画像信号（Ｒ、Ｇ、Ｂ）及びその表示を制御する入力制御信号の印加を受ける。
【００６９】
入力画像信号（Ｒ、Ｇ、Ｂ）は、各第１画素（ＰＸ）の輝度（ｌｕｍｉｎａｎｃｅ）情報を含み、輝度は、決められた数、例えば１０２４（＝２１０）、２５６（＝２８）、または６４（＝２６）個の階調（ｇｒａｙ）を有する。入力制御信号の例としては、垂直同期信号（Ｖｓｙｎｃ）及び水平同期信号（Ｈｓｙｎｃ）、メインクロック（ＭＣＬＫ）、データイネーブル信号（ＤＥ）などがある。
【００７０】
信号制御部１０８は、入力画像信号（Ｒ、Ｇ、Ｂ）及び入力制御信号に基づいて入力画像信号（Ｒ、Ｇ、Ｂ）をパネル組立体５２の動作条件に合うように適切に処理して、第１走査駆動部制御信号（ＣＯＮＴ１）及び第１データ駆動部制御信号（ＣＯＮＴ２）などを生成した後、第１走査駆動部制御信号（ＣＯＮＴ１）を第１走査駆動部１０２に出力し、第１データ駆動部制御信号（ＣＯＮＴ２）及び処理した画像信号（ＤＡＴ）を第１データ駆動部１０４に出力する。
【００７１】
発光装置の表示部１１６は、複数の第２画素（ＥＰＸ）を含み、各第２画素（ＥＰＸ）は、一つの第２走査ライン（Ｓ´１−Ｓ´ｐ）及び一つの第２データライン（Ｃ１−Ｃｑ）に連結されている。各第２画素（ＥＰＸ）は、第２走査ライン（Ｓ´１−Ｓ´ｐ）及び第２データライン（Ｃ１−Ｃｑ）に印加される電圧差によって発光する。第２走査ライン（Ｓ´１−Ｓ´ｐ）は、発光装置１０の走査電極と同一であり、第２データライン（Ｃ１−Ｃｑ）は、発光装置１０のデータ電極と同一である。
【００７２】
信号制御部１０８は、発光装置１０の一つの第２画素（ＥＰＸ）に対応する複数の第１画素（ＰＸ）に対する入力画像信号（Ｒ、Ｇ、Ｂ）を利用して、発光装置１０の発光制御信号を生成する。発光制御信号は、第２データ駆動部制御信号（ＣＤ）、発光信号（ＣＬＳ）、及び第２走査駆動部制御信号（ＣＳ）を含む。第２データ駆動部制御信号（ＣＤ）、発光信号（ＣＬＳ）、及び第２走査駆動部制御信号（ＣＳ）によって、発光装置１０の各第２画素（ＥＰＸ）は、複数の第１画素（ＰＸ）に対応して発光する。
【００７３】
具体的に、信号制御部１０８は、発光装置１０の一つの第２画素（ＥＰＸ）に対応する複数の第１画素（ＰＸ）（以下、第１画素群とする）に対する入力画像信号（Ｒ、Ｇ、Ｂ）を利用して、第１画素群の第１画素（ＰＸ）のうちの最も高い階調を検出して、発光装置制御部１１０に伝達する。発光装置制御部１１０は、検出された階調によって第２画素（ＥＰＸ）の発光に必要な階調を算出して、これをデジタルデータに変換して第２データ駆動部１１２に伝達する。
【００７４】
本実施形態で、発光信号（ＣＬＳ）は、第２画素（ＥＰＸ）の階調表現のために、６ビット以上のデジタルデータを含む。そして、第２データ駆動部制御信号（ＣＤ）は、各々の第２画素（ＥＰＸ）がそれに対応する第１画素群に同期して発光することができるようにする。つまり、一つの第２画素（ＥＰＸ）に対応する第１画素群に画像が表示されるのに合わせて第２画素（ＥＰＸ）が所定の階調で発光することができるように同期させる。
【００７５】
第２データ駆動部１１２は、第２データ駆動部制御信号（ＣＤ）及び発光信号（ＣＬＳ）によって第２データ信号を生成して、各第２データライン（Ｃ１−Ｃｑ）に印加する。また、発光装置制御部１１０は、水平同期信号（Ｈｓｙｎｃ）を利用して、発光装置１０の第２走査駆動部制御信号（ＣＳ）を生成する。つまり、第２走査駆動部１１４は、第２走査ライン（Ｓ´１−Ｓ´ｐ）に連結されていて、第２走査駆動部制御信号（ＣＳ）によって第２走査信号を生成して、第２走査ライン（Ｓ´１−Ｓ´ｐ）に伝達する。発光装置１０の一つの第２画素（ＥＰＸ）に対応する第１画素群にスイッチオン電圧（Ｖｏｎ）が印加される間に、第２画素（ＥＰＸ）の第２走査ライン（Ｓ´１−Ｓ´ｐ）には第２走査信号が印加される。
【００７６】
そうすると、第２画素（ＥＰＸ）は、第２走査電圧及び第２データ電圧によって対応する第１画素群の階調に対応して発光する。本実施形態で、第２画素（ＥＰＸ）の第２データライン（Ｃ１−Ｃｑ）には階調に対応する電圧が印加され、第２走査ライン（Ｓ´１−Ｓ´ｐ）には一定の正の電圧が印加されて、第２画素（ＥＰＸ）は、二つのラインの電圧差によって発光する。
【００７７】
本実施形態の表示装置は、上記過程を通じて画面の動的コントラスト比（ｄｙｎａｍｉｃ ｃｏｎｔｒａｓｔ）を向上させることができ、より鮮明な画面を表示することができる。
【００７８】
以上、各実施形態に係る発光装置１０及び発光装置１０を備えた表示装置５０について説明した。この発光装置１０によれば、ノード電極に１０ｋＶ以上の高電圧が印加されても、駆動電極及びアノード電極を短絡させずに、スペーサにチャージングされた電荷を外部に円滑に排出することができ、スペーサのチャージングによる画面の輝度の不均一現象を解決することができる。また、この発光装置１０を備えた表示装置５０によれば、画面の動的コントラスト比を高めて表示品質を向上させ、バックライトユニットの消費電力を減少させて全体の消費電力を減少させることができ、例えば３０インチ以上の大型表示装置に適用することが可能となる。
【００７９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００８０】
【図１】本発明の第１実施形態に係る発光装置の部分分解斜視図である。
【図２】同実施形態に係る発光装置の部分断面図である。
【図３Ａ】本発明の第２実施形態に係る発光装置の部分断面図である。
【図３Ｂ】本発明の第２実施形態に係る発光装置の部分断面図である。
【図４】本発明の第３実施形態に係る発光装置の部分断面図である。
【図５】本発明の第４実施形態に係る発光装置の部分分解斜視図である。
【図６】本発明の一実施形態に係る液晶表示装置の分解斜視図である。
【図７】本発明の一実施形態に係る液晶表示装置を駆動する構造を示したブロック図である。
【符号の説明】
【００８１】
１０    発光装置
１０２  第１走査駆動部
１０４  第１データ駆動部
１０６  階調電圧生成部
１０８ 信号制御部
１１０  発光装置制御部
１１２  第２データ駆動部
１１４  第２走査駆動部
１１６  表示部
１２    第１基板
１４    第２基板
１８   電子放出ユニット
２０   発光ユニット
２２   絶縁層
２２１  開口部
２４   第１電極
２６   第２電極
２６１  開口部
２８    電子放出部
３０   蛍光層
３２   アノード電極
３４、３５、３６、３７  スペーサ
３４１、３５１、３６１、３７１  母体
３４２、３５２、３６２、３７２  コーティング層
５０    表示装置
５２    パネル組立体
５４    画素
【図１】
2008124027.tif 000003
【図２】
2008124027.tif 000004
【図３Ａ】
2008124027.tif 000005
【図３Ｂ】
2008124027.tif 000006
【図４】
2008124027.tif 000007
【図５】
2008124027.tif 000008
【図６】
2008124027.tif 000009
【図７】
2008124027.tif 000010